(57)【要約】【課題】より簡素な構成を有する格納式ハサミを提供すること。【解決手段】格納式ハサミはホルダー１とハサミ片２とを備える。ハサミ片２は、ホルダー１に対して引っ込んだ閉鎖位置と、ホルダー１に対して鋭角をなすように開いた第１開放位置と、ホルダー１に対して第１開放位置よりもさらに大きく開いた第２開放位置との間でホルダー１に対して回動可能である。ハサミ片２は第１エッジ２ａを有するとともに、ホルダー１は第１エッジ２ａと交差し且つ接触する第２エッジ４ａを有する。ハサミ片２がホルダー１に対して第１開放位置から閉鎖位置に向かって回動するとき、ハサミ片２及びホルダー１が第１及び第２エッジ２ａ，４ａ間で物を切断するハサミとして機能するように協働する。ハサミ片２が第２開放位置に配置されたとき、ハサミ片２がナイフのブレードとして機能するとともに、ホルダー１がナイフのハンドルとして機能する。【選択図】図２
2014004318.tif 000002
【特許請求の範囲】
【請求項１】
ホルダーと、
前記ホルダーに取り付けられたハサミ片であって、前記ホルダーに対して引っ込んだ閉鎖位置と、前記ホルダーに対して開いた開放位置との間で前記ホルダーに対して回動可能である前記ハサミ片と、を備え、
前記ハサミ片は第１エッジを有するとともに、前記ホルダーは前記第１エッジと交差し且つ接触する第２エッジを有し、前記ハサミ片が前記ホルダーに対して前記開放位置から前記閉鎖位置に向かって回動するとき、前記ハサミ片及び前記ホルダーが前記第１及び第２エッジ間で物を切断するハサミとして機能するように協働する、格納式ハサミ。
【請求項２】
前記ホルダーは、それらの間に収納溝を画定するように互いに対向する第１及び第２側壁を有し、前記ハサミ片は前記閉鎖位置に配置されたときに前記収納溝内に引っ込み、前記第２エッジは前記第１側壁に設けられて前記収納溝の開口縁の一部を画定する、請求項１に記載の格納式ハサミ。
【請求項３】
前記ハサミ片を前記閉鎖位置から前記開放位置に向かって付勢する付勢部材と、
前記ハサミ片を前記閉鎖位置に保持すべく該ハサミ片に対し離脱可能に係合するラッチ部材と、
を備える、請求項１又は２に記載の格納式ハサミ。
【請求項４】
前記ラッチ部材は、前記ハサミ片に係合する係合位置と前記ハサミ片に対する係合を解除する解除位置との間を移動可能なように前記ホルダーに支持される、請求項３に記載の格納式ハサミ。
【請求項５】
前記ホルダーは、本体と、該本体とは異なる材料から形成されて前記第２エッジを有するエッジ形成部材とを含む、請求項１〜４の何れか一項に記載の格納式ハサミ。
【請求項６】
それらの間に収納溝を画定するように互いに対向する第１及び第２側壁を有するホルダーと、
前記ホルダーの先端部に取り付けられたハサミ片であって、前記収納溝内に引っ込んだ閉鎖位置と、前記ホルダーに対して鋭角をなすように開いた第１開放位置と、前記ホルダーに対して前記第１開放位置よりもさらに大きく開いた第２開放位置との間で前記ホルダーに対して回動可能である前記ハサミ片と、を備え、
前記ハサミ片は第１エッジを有するとともに、前記ホルダーは前記第１エッジと交差し且つ接触する第２エッジを有し、該第２エッジは前記第１側壁に設けられて前記収納溝の開口縁の一部を画定しており、
前記ハサミ片が前記ホルダーに対して前記第１開放位置から前記閉鎖位置に向かって回動するとき、前記ハサミ片及び前記ホルダーが前記第１及び第２エッジ間で物を切断するハサミとして機能するように協働し、
前記ハサミ片が第２開放位置に配置されたとき、前記ハサミ片がナイフのブレードとして機能するとともに、前記ホルダーがナイフのハンドルとして機能する、格納式ハサミ。
【発明の詳細な説明】
【技術分野】
【０００１】
本発明は、格納式ハサミに関する。
【背景技術】
【０００２】
特許文献１は、ホルダーと、該ホルダーに対して不使用位置と使用位置との間で互いに連動して回動可能に支持された２枚のブレードとを備える格納式ハサミを開示している。この特許文献１に開示された格納式ハサミでは、２枚のブレード（ハサミ片）は、不使用位置に配置された状態ではホルダー内に収納され、使用位置に配置された状態ではハサミとして機能し得るようにホルダーから突出する。
【０００３】
また本願発明者による特許文献２は、ハサミの機能を備えた折り畳み式ナイフを開示している。この折り畳み式ナイフは、ハンドルと、該ハンドル内に収納される不使用位置とハンドルから延びる使用位置との間でハンドルに対して互いに独立して回動可能に支持された第１及び第２ブレードとを備えている。第２ブレードが不使用位置に配置された状態で第１ブレードが使用位置に配置されたとき、第１ブレードはナイフとして機能する。一方、第１及び第２ブレードが共に使用位置に配置されたとき、両ブレードはハサミとして機能するように協働する。
【先行技術文献】
【特許文献】
【０００４】
【特許文献１】特開２０００−１５３０８１号公報
【特許文献２】米国特許第６８７７２２９号明細書
【発明の概要】
【発明が解決しようとする課題】
【０００５】
上記特許文献１に開示された格納式ハサミは、その主要構成要素として、ホルダーと２枚のブレードという３つの構成要素を必要とする。上記特許文献２の折り畳み式ナイフも、特許文献１の格納式ハサミと同様、その主要構成要素として、ハンドルと２枚のブレードという３つの構成要素を必要とする。
【０００６】
このように、これらの特許文献１，２に開示された物品はいずれも、ハサミとしての機能を果たすために、ホルダー若しくはハンドル内に収納可能な２枚のブレードを必要としている。
【０００７】
そこで本願発明は、これらの特許文献１，２に開示された物品と比較してより簡素な構成を有する格納式ハサミを提供することを目的としている。
【課題を解決するための手段】
【０００８】
上記の目的を達成するため、本願発明は、ホルダーと、前記ホルダーに取り付けられたハサミ片とを備える格納式ハサミを提供する。前記ハサミ片は、前記ホルダーに対して引っ込んだ閉鎖位置と、前記ホルダーに対して開いた開放位置との間で前記ホルダーに対して回動可能である。前記ハサミ片は第１エッジを有するとともに、前記ホルダーは前記第１エッジと交差し且つ接触する第２エッジを有する。前記ハサミ片が前記ホルダーに対して前記開放位置から前記閉鎖位置に向かって回動するとき、前記ハサミ片及び前記ホルダーが前記第１及び第２エッジ間で物を切断するハサミとして機能するように協働する。
【０００９】
本発明の一態様に従う格納式ハサミは、それらの間に収納溝を画定するように互いに対向する第１及び第２側壁を有するホルダーと、前記ホルダーの先端部に取り付けられたハサミ片とを備える。該ハサミ片は、前記収納溝内に引っ込んだ閉鎖位置と、前記ホルダーに対して鋭角をなすように開いた第１開放位置と、前記ホルダーに対して前記第１開放位置よりもさらに大きく開いた第２開放位置との間で前記ホルダーに対して回動可能である。前記ハサミ片は第１エッジを有するとともに、前記ホルダーは前記第１エッジと交差し且つ接触する第２エッジを有する。該第２エッジは前記第１側壁に設けられて前記収納溝の開口縁の一部を画定する。前記ハサミ片が前記ホルダーに対して前記第１開放位置から前記閉鎖位置に向かって回動するとき、前記ハサミ片及び前記ホルダーが前記第１及び第２エッジ間で物を切断するハサミとして機能するように協働する。前記ハサミ片が第２開放位置に配置されたとき、前記ハサミ片がナイフのブレードとして機能するとともに、前記ホルダーがナイフのハンドルとして機能する。
【図面の簡単な説明】
【００１０】
【図１】本発明の一実施形態に係る格納式ハサミにおいて、ハサミ片が閉鎖位置に配置された状態を、第２側壁を取り外して示す正断面図。
【図２】図１のハサミにおいて、ハサミ片が第１開放位置に配置された状態を示す正断面図。
【図３】図１のハサミにおいて、ハサミ片が第２開放位置に配置された状態を示す正断面図。
【図４】図１のハサミの分解斜視図。
【図５】図２のＶ−Ｖ線に沿った断面図。
【図６】図１〜図５の実施形態のハサミの変更例を示す、図５に対応する断面図。
【発明を実施するための形態】
【００１１】
以下、本発明の一実施形態について、図１〜図５に従って説明する。本実施形態の格納式ハサミは、一見すると単なる折り畳み式ナイフのように見えるが、後述するようにハサミの機能とナイフの機能とを併せ持っている。本実施形態の格納式ハサミは、ハサミの機能を有する折り畳み式ナイフと言い換えることもできる。
【００１２】
図１〜図４に示すように、格納式ハサミは、収納溝１ａを有するホルダー１と、そのホルダー１の先端部に回動可能に取り付けられたハサミ片２とを備えている。ハサミ片２は、ホルダー１に対して引っ込んだ、具体的には収納溝１ａ内に引っ込んだ閉鎖位置（図１参照）と、ホルダー１に対して鋭角をなすように開いた第１開放位置（図２参照）と、ホルダー１に対して前記第１開放位置よりもさらに大きく開いた第２開放位置（図３参照）との間で回動可能である。第２開放位置において、ハサミ片２はホルダー１に対して実質的に１８０度の角度をなすように（すなわち、ホルダー１の長手軸線に沿って延びるように）開いている。
【００１３】
前記ハサミ片２は金属材料やセラミクス等の硬質材料からなり、同ハサミ片２の長手方向に沿って延びる第１エッジ２ａを有している。第１エッジ２ａは、ナイフのブレードとして機能し得るように鋭利に形成されている。
【００１４】
前記ホルダー１は、互いに対向する第１及び第２側壁４，５と、両側壁４，５の上縁間に設けられる背金６とを有する。ホルダー１の本体を構成する両側壁４，５は、背金６を挟んだ状態で、第１、第２及び第３結合ピン８，９，１０によって互いに結合される。両側壁４，５及び背金６は、前記収納溝１ａを画定する。背金６は前記ハサミ片２とほぼ同じ厚さを有する。
【００１５】
前記第１及び第２側壁４，５は、金属材料やセラミクス等の硬質材料からなり、前記背金６は弾性を有する材料、好ましくは金属材料よりなる。図２及び図５に示すように、ホルダー１は前記ハサミ片２の第１エッジ２ａと交差し且つ接触する第２エッジ４ａを有している。具体的には、第２エッジ４ａは第１側壁４に設けられて、前記収納溝１ａの開口縁の一部を画定している。言い換えれば、収納溝１ａの開口縁を画定する第１側壁４の部位が第２エッジ４ａを形成している。この第２エッジ４ａは、少なくとも、ハサミ片２の第１エッジ２ａとの間で物を切断することが可能なように構成されていればよく、ナイフのブレードとして機能し得るほど鋭利に形成される必要はない。
【００１６】
図１〜図４に示すように、前記第１結合ピン８は、前記ホルダー１の先端部において、両側壁４，５を貫通している。前記第２結合ピン９は、ホルダー１の長手方向中間部において、両側壁４，５及び背金６を貫通している。前記第３結合ピン１０は、ホルダー１の基端部において、両側壁４，５を貫通している。背金６の先端部及び基端部は自由端部である。
【００１７】
前記第１結合ピン８は、前記ハサミ片２をホルダー１に対して回動可能に支持する支持シャフトとして機能する。ハサミ片２は、その基端部に、第１結合ピン８、すなわち支持シャフト８に回動可能に支持されるタング１５を有する。支持シャフト８の軸線は、ハサミ片２のピボット軸線である。タング１５は常に収納溝１ａ内に配置され、両側壁４，５によって両側から保持される。
【００１８】
図１〜図３に示すように、前記背金６の先端部（自由端部）は、前記タング１５の外周縁に係合する第１係合部２０として機能する。第１係合部２０は、タング１５の外周縁を弾性的に押圧するバネ部である。図１に示すように、ハサミ片２が閉鎖位置に配置されている状態では、第１係合部２０は、ハサミ片２に閉鎖位置から前記第１開放位置に向かう回動力（図１の反時計回り方向の力）が作用するように、タング１５を押圧する。すなわち、第１係合部２０は、ハサミ片２を図１の閉鎖位置から図２の第１開放位置に向かって付勢する付勢部材として機能する。
【００１９】
図１〜図３に示すように、ラッチ部材２５は両側壁４，５の基端部間に配置され、前記第３結合ピン１０によってホルダー１に対して回動可能に支持されている。ラッチ部材２５は、ハサミ片２を図１の閉鎖位置に保持すべく、該ハサミ片２に対し離脱可能に係合する。具体的には、ラッチ部材２５はその先端部にフック部２５ａを有する。ラッチ部材２５は、フック部２５ａがハサミ片２の先端部に係合する係合位置（図１参照）と、フック部２５ａがハサミ片２に対する係合を解除する解除位置（図２参照）との間を回動可能である。
【００２０】
図１に示すように、ハサミ片２が閉鎖位置に配置された状態でラッチ部材２５を係合位置に配置すると、フック部２５ａがハサミ片２の先端部に係合して、ハサミ片２を背金６の第１係合部２０の弾性押圧力に抗して閉鎖位置に保持する。この状態からラッチ部材２５を図２の解除位置に回動させると、フック部２５ａがハサミ片２の先端部から離脱し、その結果、ハサミ片２が第１係合部２０の弾性押圧力によって、図２の第１開放位置にまで回動させられる。この第１開放位置においては、第１係合部２０がタング１５の外周縁の平坦部１５ａに弾性的に係合し、これによって、ハサミ片２が第１開放位置に弾性的に保持される。
【００２１】
前記ラッチ部材２５の基端部の外周縁には、第１被係合凹部２５ｂと第２被係合凹部２５ｃとが形成されている。一方、前記背金６の基端部（自由端部）は、ラッチ部材２５の基端部の外周縁に弾性的に係合する第２係合部（バネ部）２１として機能する。第２係合部２１は、第１被係合凹部２５ｂ及び第２被係合凹部２５ｃの各々に係合可能な突部２１ａを有する。ラッチ部材２５が図１の係合位置に配置されたとき、第２係合部２１の突部２１ａが第１被係合凹部２５ｂに係合してラッチ部材２５を係合位置に保持する。ラッチ部材２５が図２の解除位置に配置されたとき、第２係合部２１の突部２１ａが第２被係合凹部２５ｃに係合してラッチ部材２５を解除位置に保持する。
【００２２】
ハサミ片２を背金６の第１係合部２０の押圧力に抗して図２の第１開放位置から反時計回り方向に回動させると、タング１５の外周縁が第１係合部２０によって押圧されながら該第１係合部２０に対して摺動する。そして、図３に示すように、ハサミ片２が第２開放位置に達すると、ハサミ片２の基端部に設けられた内角部（保持部）１５ｂが第１係合部２０に係合する。この内角部１５ｂは互いに交差する２つの平面を含む。ハサミ片２は、内角部１５ｂと第１係合部２０との係合によって、第２開放位置を超えて回動することを阻止されるとともに、第１係合部２０の弾性押圧力によって、その第２開放位置に保持される。第１係合部２０は、ハサミ片２を第２開放位置に保持すべく該ハサミ片２に係合するロック部材として機能する。
【００２３】
ハサミ片２を第１係合部２０の押圧力に抗して図３の第２開放位置から時計回り方向に回動させれば、ハサミ片２を図２の第１開放位置或いは図１の閉鎖位置に戻すことができる。
【００２４】
ハサミ片２には、指掛け孔２ｂ及び指掛け凹部２ｃが形成されている。使用者は、指掛け孔２ｂ又は指掛け凹部２ｃと対応する箇所においてハサミ片２を摘むことにより、ハサミ片２を容易に回動させることができる。
【００２５】
次に、上記のように構成された格納式ハサミの使用方法について説明する。先ず、この格納式ハサミの不使用状態では、図１に示すように、ハサミ片２が係合位置にあるラッチ部材２５によって閉鎖位置に保持されている。この状態からラッチ部材２５を解除位置に回動させると、ハサミ片２が背金６の第１係合部２０の弾性押圧力によって、図２の第１開放位置にまで回動させられ、格納式ハサミがハサミとして使用可能な状態となる。すなわち、使用者がハサミ片２を第１係合部２０の押圧力に抗して図２の第１開放位置から図１の閉鎖位置に向かって回動させると、ハサミ片２の第１エッジ２ａとホルダー１の第２エッジ４ａとの交差部（接触部）が閉じていくことで、両エッジ２ａ，４ａ間に挟んだ物が切断される。このように、ハサミ片２が第１開放位置から閉鎖位置に向かって回動するとき、ハサミ片２及びホルダー１（具体的には、第１側壁４）は、第１及び第２エッジ２ａ，４ａ間で物を切断するハサミとして機能するように協働する。
【００２６】
一方、ハサミ片２を図１の閉鎖位置或いは図２の第１開放位置から図３の第２開放位置まで回動させると、格納式ハサミをナイフとして使用することができる。すなわち、ハサミ片２がナイフのブレードとして機能するとともに、ホルダー１がナイフのハンドルとして機能する。
【００２７】
以上詳述した本実施形態は、以下の利点を有する。
（１）ハサミ片２をホルダー１に対して鋭角をなすように開いた第１開放位置に回動させた状態では、ハサミ片２及びホルダー１をハサミとして機能させることができる。一方、ハサミ片２をホルダー１に対して前記第１開放位置よりもさらに大きく開いた第２開放位置に回動させた状態では、ハサミ片２をナイフのブレードとして機能させるとともに、ホルダー１をナイフのハンドルとして機能させることができる。すなわち、ホルダー１の収納溝１ａの開口縁に、ハサミ片２の第１エッジ２ａと協働して物を切断する第２エッジ４ａの機能を与えることによって、ハサミ片２を格納する機能を有するホルダー１を片方のハサミ片として利用できるようにしている。その結果、本実施形態の格納式ハサミは、主要構成要素としてホルダー１とそのホルダー１に格納可能な単一のハサミ片２という２つの構成要素を備えるだけで、ナイフの機能とハサミの機能とを併せ持つことができる。そのため、部品点数が削減されるとともに、構成が簡素化され、格納式ハサミの小型化及び製造コストの低減が図られる。
【００２８】
（２）背金６の一部である第１係合部２０は、ハサミ片２を閉鎖位置から第１開放位置に向かって付勢する付勢部材として機能するとともに、ハサミ片２を第２開放位置に保持すべく該ハサミ片２に係合するロック部材としても機能する。そのため、ハサミ片２を付勢するための専用の部材やハサミ片２を所定の位置に保持するための専用の部材を用意する必要がない。よって、部品点数の削減及び構成の簡素化が促進される。
【００２９】
（３）ホルダー１の基端部には、ハサミ片２を閉鎖位置に保持すべく該ハサミ片２に係合する係合位置と、ハサミ片２に対する係合を解除する解除位置との間を移動（回動）可能なラッチ部材２５が設けられる。そして、背金６の一部である第２係合部２１は、ラッチ部材２５を係合位置及び解除位置の各々に保持すべく該ラッチ部材２５に弾性的に係合するように機能する。そのため、ラッチ部材２５を所定の位置に保持するための専用の部材を用意する必要がなく、部品点数の削減及び構成の簡素化が一層促進される。
【００３０】
なお、上記実施形態は以下のように変更することも可能である。
・図５に示すように、上記実施形態において、ホルダー１の本体を構成する第１及び第２側壁４，５は金属材料やセラミクス等の硬質材料からなり、第２エッジ４ａはそのホルダー１の本体自身（具体的には、第１側壁４自身）に形成されている。すなわち、ホルダー１の本体自身が、ハサミ片のエッジとして機能し得る材料で形成されている。しかし、これに代えて、図６に示すように、第１側壁４は、本体３０と、該本体３０とは異なる材料から形成されて第２エッジ３１ａを有するエッジ形成部材（ライナー）３１とを含むように構成されてもよい。この場合、好ましくは、本体３０は例えば合成樹脂材料或いは木材等、ハサミ片のエッジとして機能するには不十分な材料から形成され、エッジ形成部材３１は金属材料やセラミクス等、ハサミ片のエッジとして機能し得る硬質材料から形成される。また、第２側壁５は第１側壁４の本体３０と同じ材料から形成することができる。このようにすれば、ハサミとしての機能を低下させることなく、ホルダー１の軽量化や低コスト化を達成したり、或いはホルダー１のデザインの自由度を向上させたりすることができる。
【００３１】
・図１〜図５の実施形態において、ホルダー１の第２側壁５は、例えば合成樹脂材料或いは木材等、ハサミ片のエッジとして機能するには不十分な材料から形成されてもよい。
・図１〜図６の各実施形態において、第２側壁５を削除してもよい。この場合、第１側壁４及び背金６がホルダー１を構成する。このように構成すると、ハサミ片２が閉鎖位置に配置されたとき、ハサミ片２の片側が外部に露出した状態となるが、少なくともエッジ２ａは第１側壁４によって覆われるので、第１側壁４はハサミ片２を格納するホルダーとしての機能を十分に果たす。
【００３２】
・図１〜図６の各実施形態において、ハサミ片２を図１の閉鎖位置と図２の第１開放位置との間のみで回動可能に構成し、図３の第２開放位置には回動しないように構成してもよい。この場合、格納式ハサミはナイフとしての機能を持たないことになるが、主要構成要素としてホルダー１とそのホルダー１に格納可能な単一のハサミ片２という２つの構成要素を備えるだけで（つまり、従来技術とは異なり、ホルダーとは別に２つのブレードを必要とすることなく）、格納式ハサミとして機能することができる。なお、この場合、ハサミ片２の第１エッジ２ａは、少なくとも、第１側壁４の第２エッジ４ａとの間で物を切断することが可能なように構成されていればよく、ナイフのブレードとして機能し得るほど鋭利に形成される必要はない。
【００３３】
・図１〜図６の各実施形態において、ハサミ片２を閉鎖位置から第１開放位置に向かって付勢する付勢部材、及びハサミ片２を第２開放位置に保持すべく該ハサミ片２に係合するロック部材の少なくとも一方を、背金６とは別の独立した部材によって構成してもよい。付勢部材を背金６とは別の独立した部材によって構成する場合、付勢部材は例えば、ハサミ片２の回動軸線（第１結合ピン８）の周りに設けられる捩りバネによって構成することができる。
【００３４】
・図１〜図６の各実施形態において、ハサミ片２を閉鎖位置から第１開放位置に向かって付勢する付勢部材を省略してもよい。このようにすると、格納式ハサミをハサミとして使用する場合、ハサミ片２を図１の閉鎖位置と図２の第１開放位置との間にて全てに亘って手動で動かす必要がある。よって、そのような手動操作を容易にすべく、ハサミ片２の基端部から該ハサミ片２の先端部とは反対側に延びる操作片を設けるとともに、ホルダー１にも同様の操作片を設けることが好ましい。
【００３５】
・図１〜図６の各実施形態において、ラッチ部材２５及びそれに係合する第２係合部２１の構成は、適宜変更することが可能である。例えば、ラッチ部材２５は回動式ではなく、直線的に移動可能に構成されてもよい。この場合、例えば、ハサミ片２にはラッチ部材２５が係合可能な被係合部（凹部や溝等）が設けられるのが好ましい。また、第２係合部２１は背金６とは別の独立した部材によって構成されてもよい。或いは、閉鎖位置にあるハサミ片２に対するラッチ部材２５の係合状態を維持し得るのであれば、第２係合部２１は省略されてもよい。
【００３６】
以下に、上記実施形態から把握できる技術的思想について記載する。
［Ａ］  請求項１〜５の何れか一項に記載の格納式ハサミにおいて、前記開放位置は、前記ハサミ片が前記ホルダーに対して鋭角をなすように開いた第１開放位置であり、前記ハサミ片は前記ホルダーに対して前記第１開放位置よりもさらに大きく開いた第２開放位置に回動可能であり、前記ハサミ片が第２開放位置に配置されたとき、前記ハサミ片がナイフのブレードとして機能するとともに、前記ホルダーがナイフのハンドルとして機能する。
【００３７】
［Ｂ］  請求項３に記載の格納式ハサミにおいて、前記ホルダーは背金を有し、その背金の一部が弾性を有する前記付勢部材として機能する。
［Ｃ］  請求項４に記載の格納式ハサミにおいて、前記ホルダーは背金を有し、その背金の一部は、前記ラッチ部材を前記係合位置及び前記解除位置の各々に保持すべく該ラッチ部材に弾性的に係合する係合部として機能する。
【００３８】
［Ｄ］  請求項６に記載の格納式ハサミはさらに、前記ハサミ片を前記閉鎖位置から前記第１開放位置に向かって付勢する付勢部材と、前記ハサミ片を前記閉鎖位置に保持すべく該ハサミ片に対し離脱可能に係合するラッチ部材と、を備える。
【００３９】
［Ｅ］  上記［Ｄ］に記載の格納式ハサミにおいて、前記ホルダーは前記第１及び第２側壁の間に配置された背金を有し、前記背金の先端部が、弾性を有する前記付勢部材として機能する。
【００４０】
［Ｆ］  上記［Ｅ］に記載の格納式ハサミにおいて、前記背金の先端部はさらに、前記ハサミ片を前記第２開放位置に保持すべく該ハサミ片に係合するロック部材として機能する。
【００４１】
［Ｇ］  上記［Ｄ］〜［Ｆ］の何れか一項に記載の格納式ハサミにおいて、前記ラッチ部材は、前記ハサミ片の先端部に係合する係合位置と前記ハサミ片に対する係合を解除する解除位置との間を移動可能なように前記ホルダーに支持される。
【００４２】
［Ｈ］  上記［Ｇ］に記載の格納式ハサミにおいて、前記ホルダーは前記第１及び第２側壁の間に配置された背金を有し、その背金の基端部は、前記ラッチ部材を前記係合位置及び前記解除位置の各々に保持すべく該ラッチ部材に弾性的に係合する係合部として機能する。
【００４３】
［Ｉ］  請求項６及び上記［Ｄ］〜［Ｈ］の何れか一項に記載の格納式ハサミにおいて、前記第１側壁は、本体と、該本体とは異なる材料から形成されて前記第２エッジを有するエッジ形成部材とを含む。
【符号の説明】
【００４４】
１…ホルダー、１ａ…収納溝、２…ハサミ片、２ａ…第１エッジ、４…第１側壁、４ａ…第２エッジ、５…第２側壁、２０…付勢部材として機能する第１係合部（背金６の先端部）、３０…本体、３１…エッジ形成部材、３１ａ…第２エッジ。
【図１】
2014004318.tif 000003
【図２】
2014004318.tif 000004
【図３】
2014004318.tif 000005
【図４】
2014004318.tif 000006
【図５】
2014004318.tif 000007
【図６】
2014004318.tif 000008